(57)【要約】【課題】本発明は、適切なコンテンツの保護を行うことが可能な受信記録装置及び受信記録方法を提供することを目的とする。【解決手段】本発明の受信記録装置は、コンテンツを構成するコンテンツ情報と、該コンテンツ情報の種別を示す種別情報と、コンテンツが保護されるか否かを示す保護情報と、を受信する受信手段と、受信手段により受信したコンテンツ情報と該コンテンツ情報の種別を示す種別情報を記録する記録手段と、  各構成を制御する制御手段と、を備え、制御手段は、保護情報がコンテンツが保護される旨を示す場合には、受信した種別情報とは異なる情報を受信した種別情報に代えてコンテンツ情報に対応させて記録するように記録手段を制御することを特徴とする。【選択図】図２
2008017379.tif 000002
【特許請求の範囲】
【請求項１】
コンテンツを構成するコンテンツ情報と、該コンテンツ情報の種別を示す種別情報と、前記コンテンツが保護されるか否かを示す保護情報と、を受信する受信手段と、
前記受信手段により受信したコンテンツ情報と該コンテンツ情報の種別を示す種別情報を記録する記録手段と、
前記各構成を制御する制御手段と、を備え、
前記制御手段は、前記保護情報が前記コンテンツが保護される旨を示す場合には、前記受信した種別情報とは異なる情報を前記受信した種別情報に代えて前記コンテンツ情報に対応させて記録するように前記記録手段を制御することを特徴とする受信記録装置。
【請求項２】
前記コンテンツ情報は、映像データあるいは音声データあるいは字幕データであることを特徴とする請求項１に記載の受信記録装置。
【請求項３】
前記コンテンツ情報は、前記映像データあるいは前記音声データあるいは前記字幕データを再生する時刻の基準となる時刻情報あるいは前記映像データあるいは前記音声データあるいは前記字幕データのいずれかであることを特徴とする請求項２に記載の受信記録装置。
【請求項４】
前記保護情報は、前記映像データあるいは前記音声データあるいは前記字幕データあるいは前記時刻情報を保護するか否かを示す情報を含むことを特徴とする請求項３に記載の受信記録装置。
【請求項５】
前記受信記録装置は、携帯通信端末であることを特徴とする請求項１ないし４のいずれかに記載の受信記録装置。
【請求項６】
前記受信手段は、前記コンテンツ情報と、前記種別情報と、前記保護情報とを放送信号で受信する放送受信手段であることを特徴とする請求項１ないし５のいずれかに記載の受信記録装置。
【請求項７】
コンテンツを構成するコンテンツ情報と、該コンテンツ情報の種別を示す種別情報と、前記コンテンツが保護されるか否かを示す保護情報と、を受信する受信手段と、
前記受信手段により受信したコンテンツ情報と該コンテンツ情報の種別を示す種別情報を記録する記録手段と、
前記各構成を制御する制御手段と、を備え、
前記制御手段は、前記保護情報が前記コンテンツが保護される旨を示す場合には、前記受信した種別情報を異なる値に変えて記録するように前記記録手段を制御することを特徴とする受信記録装置。
【請求項８】
映像ＰＥＳまたは字幕ＰＥＳまたは音声ＰＥＳまたはＰＣＲとＰＩＤとを含むＴＳパケットと、保護の有無を示す保護情報と、を受信する受信手段と、
前記受信手段により受信したパケットを記録する記録手段と、
前記各構成を制御する制御手段と、を備え、
前記制御手段は、前記保護情報が前記放送信号は保護される旨を示す場合には、前記ＴＳパケットに含まれるＰＩＤを異なる値に代えて前記記録手段に記録するように制御することを特徴とする受信記録装置。
【請求項９】
コンテンツを構成するＴＳパケットのＰＩＤを指定する指定情報を含むＰＭＴパケットと、映像ＰＥＳまたは字幕ＰＥＳまたは音声ＰＥＳまたはＰＣＲとＰＩＤとを含むＴＳパケットと、保護の有無を示す保護情報と、を受信する受信手段と、
前記受信手段により受信したパケットを記録する記録手段と、
前記各構成を制御する制御手段と、を備え、
前記制御手段は、前記保護情報が前記放送信号は保護される旨を示す場合には、前記ＴＳパケットに含まれるＰＩＤの値を前記指定情報が指定する値とは異なる値に変えて記録するように前記記録手段を制御することを特徴とする受信記録装置。
【請求項１０】
前記制御手段は、前記異なる値を専用の領域に記録するように前記記録手段を制御することを特徴とする請求項９に記載の受信記録装置。
【請求項１１】
コンテンツを構成するデータと該データの種別を示す種別情報と前記コンテンツが保護されるか否かを示す保護情報と、を含む放送信号を受信するステップと、
前記受信手段により受信したデータ及び種別情報を記録するステップと、
前記保護情報が前記放送信号は保護される旨を示す場合に、前記種別情報を前記受信した種別情報とは異なる情報に変えて前記記録手段に記録するステップと、を有することを特徴とする受信記録方法。
【請求項１２】
映像データ、或いは、音声データ、または、映像データと音声データを含むデジタル放送番組データの録画処理を行う、受信記録方法において、
上記デジタル放送番組データの中に含まれる、コンテンツ保護情報を取得、解析し、上記コンテンツ保護情報が、保護設定を示していると判断された場合、上記デジタル放送番組データを録画するときに、
上記デジタル放送番組データを構成するパケットデータに対して、上記パケットデータ内で、上記パケットデータの種別を示すパケットＩＤ（ＰＩＤ）の値を、異なる値に改変した上で、記録メディアに上記パケットデータを記録することを特徴とした受信記録方法。
【発明の詳細な説明】
【技術分野】
【０００１】
本発明は、受信記録装置および受信記録方法に関する。
【背景技術】
【０００２】
特許文献１には、暗号化されて記憶装置に記録された放送コンテンツを再生する再生装置で用いられるコンテンツ権利保護装置が開示されている。このコンテンツ保護権利保護装置は、放送コンテンツに所定の時間間隔で含まれる復号情報から放送コンテンツを復号する復号鍵を生成する放送コンテンツ権利保護装置であって、前記記憶装置に記録された放送コンテンツの視聴が正当な視聴であるか否かの判定を放送コンテンツの利用に関する許諾情報を用いておこなう視聴判定手段と、前記視聴判定手段が不正な視聴であると判定した場合に復号鍵の生成を停止する鍵生成停止手段とを備えたことを特徴とする。
【０００３】
【特許文献１】特開２００５-１２３４９号公報
【発明の開示】
【発明が解決しようとする課題】
【０００４】
コンテンツを暗号化することによって不正な視聴に対する保護を行っても、正規の方法あるいは不正な方法で暗号化を解除した後に、暗号化を解除されたコンテンツ自体を保護に関する情報から分離することにより、保護の及ばない状態にされる可能性がある。その場合、分離されてしまったコンテンツに対しては、コンテンツの不正な視聴や複製や頒布を防ぐことができない。
【０００５】
本発明は、適切なコンテンツの保護を行うことが可能な受信記録装置及び受信記録方法を提供することを目的とする。
【課題を解決するための手段】
【０００６】
上記目的を達成するため、本発明の受信記録装置は、コンテンツを構成するコンテンツ情報と、該コンテンツ情報の種別を示す種別情報と、前記コンテンツが保護されるか否かを示す保護情報と、を受信する受信手段と、前記受信手段により受信したコンテンツ情報と該コンテンツ情報の種別を示す種別情報を記録する記録手段と、  前記各構成を制御する制御手段と、を備え、前記制御手段は、前記保護情報が前記コンテンツが保護される旨を示す場合には、前記受信した種別情報とは異なる情報を前記受信した種別情報に代えて前記コンテンツ情報に対応させて記録するように前記記録手段を制御することを特徴とする。
【発明の効果】
【０００７】
本発明によると、適切なコンテンツの保護を行うことが可能な受信記録装置及び受信記録方法を提供することが可能となる。
【発明を実施するための最良の形態】
【０００８】
以下、図を参照しながら、受信記録装置または受信記録方法の一例として、携帯電話機が、デジタル放送によりＴＳ形式で放送される番組を受信して記録するに方法について説明する。本例では、放送される番組の本体情報（映像情報、音声情報、及び字幕情報等）自体を、デフォルトで再生不可の状態にするように、コンテンツ保護設定がかけられている番組を録画するときに、当該パケットのＰＩＤ値を改変して記録する。そして、ＰＩＤ値を納める専用のデータ領域に、この改変後のＰＩＤ値を記録することで、本体情報単体でも、保護のかかった状態を実現する。なお、ＰＩＤ（Ｐａｃｋｅｔ  Ｉｄｅｎｔｉｆｉｅｒ）とは、パケットの属性や種別を示す情報である。
【０００９】
また、受信記録装置の他の例としては、地上波デジタル放送受信チューナ内蔵のＨＤＤレコーダ等の記録装置、地上波デジタル放送受信チューナ内蔵のセットトップボックス、地上波デジタル放送受信チューナ内蔵のノートパソコン等がある。放送信号を外付けのアンテナモジュール等から受信する構成としてもよい。
【００１０】
図１は、番組の保護状況を判別する方法の一例を示した図である。
【００１１】
まず、ステップ３００にて、デジタル放送の番組の受信を開始する。ステップ３０１にて受信したパケットデータの中身を解析・判別する。続いて、ステップ３０２にて、受信したパケットの中において、番組データ特性情報（ＰＭＴ: Ｐｒｏｇｒａｍ  Ｍａｐ  Ｔａｂｌｅ）が検出されたかどうかを判定する。ステップ３０２で、番組データ特性情報（ＰＭＴ）が検出されなければステップ３０１に戻る。ステップ３０２において、番組データ特性情報（ＰＭＴ）が検出されれば、ステップ３０３に遷移し、番組データ特性情報（ＰＭＴ）の中の各パケットデータに対するＰＩＤ値の情報の有無等を解析する。ステップ３０３に続いて、ステップ３０４にて、番組データ特性情報（ＰＭＴ）の中のコンテンツ保護情報（ＣＰＩ：Ｃｏｎｔｅｎｔｓ  Ｐｒｏｔｅｃｔｉｏｎ  Ｉｎｆｏｒｍａｔｉｏｎ）を取り出す。ステップ３０４に続いて、ステップ３０５にて、コンテンツ保護情報（ＣＰＩ）が、コンテンツ保護設定を示しているかどうかを判別する。ステップ３０５にて、番組が保護されていると判別した場合は、ステップ３１０に遷移し、ＰＩＤ改変有りで記録を行うモードとなる。番組が保護されていない場合は、ステップ３０８に遷移し、ＰＩＤ改変無しでの記録を行うモードとなる。なお、番組データ特性情報とは、番組を構成する各符号化信号を有するＴＳパケットのＰＩＤや、有料放送の関連情報等を格納する情報のことである。なお、コンテンツ保護情報とは、放送される番組等のコンテンツが、保護されるものか否かを示す情報である。また、コンテンツ保護設定とは、番組等のコンテンツを保護する設定であることをいう。保護の種類としては、再生を制限することによる保護、複製を制限することによる保護、複製した番組の再生を制限することによる保護等が考えられる。ＣＰＩとして、例えば、地上波デジタル放送におけるＣＣＩ（Ｃｏｐｙ  Ｃｏｎｔｒｏｌ  Ｉｎｆｏｒｍａｔｉｏｎ：コピー制御情報）等を利用してもよい。
【００１２】
図２は、保護対象のパケットデータのＰＩＤ値を改変する方法の一例を示した図である。保護対象のパケットデータには、例えば、Ｖｉｄｅｏパケットデータ、Ａｕｄｉｏパケットデータ、ＰＣＲパケットデータ、Ｃａｐｔｉｏｎパケットデータ等の番組を構成するパケットデータである。
【００１３】
まず、ステップ３１１において、ＰＩＤ改変記録実施を開始する。続くステップ３１２において、記録するパケットデータが保護対象の種別のパケットデータかどうかを判別する。記録するパケットデータが保護対象のパケットデータであった場合は、ステップ３１３で、そのパケットのＰＩＤ値の設定領域を改変する。続いてステップ３１４にて、上記ＰＩＤ値が改変された保護対象のパケットデータを、メディアへの書き込み用データとして送出する。ひき続き、ステップ３１５にて記録停止指示があったかどうかを判別する。ステップ３１５において、記録停止指示があったと判別された場合には、ステップ３１６にて、特定領域への記録用のＰＩＤ値の設定を行う。ステップ３１６に続いて、ステップ３１７で記録を終了する。特定領域とは、後述するが、保護対象のパケットの改変後のＰＩＤ値を記録するために、着脱可能な記録媒体または再生機器の内部に設ける領域である。正規の再生機器は、この特定領域を記録された改変後のＰＩＤ値を参照することにより、映像パケット等に割り振られたＰＩＤ値を判別する。
【００１４】
ステップ３１２で保護対象のパケットではなかったと判別された場合、あるいはステップ３１５で記録停止指示がなかったと判別される場合は、ステップ３１２に戻り引き続きパケットの保護対象の判別を行う。
【００１５】
以上の処理により、保護設定がなされているコンテンツに対して、予め定めた種別のパケットのＰＩＤ値を変えて、メディアに記録・保持することができる。これにより、データ本体単体のみの状態においても、再生不可能となるデータとすることができ、より強固なコンテンツ保護が実現される。
【００１６】
図３は、複数種の保護対象のパケットのＰＩＤ値を改変する方法の一例を示した図である。図３は、保護対象のパケットデータが、Ｖｉｄｅｏパケット、Ａｕｄｉｏパケット、ＰＣＲ（Ｐｒｏｇｒａｍ  Ｃｌｏｃｋ  Ｒｅｆｅｒｅｎｃｅ）パケット、Ｃａｐｔｉｏｎパケットの４種である場合の、パケット種判別処理、及びＰＩＤ値改変処理の例を示す。なお、ＰＣＲパケットは、Ｖｉｄｅｏパケット、Ａｕｄｉｏパケット、ＰＣＲパケット等を再生機が再生する時刻基準を示す情報を含むパケットである。
【００１７】
記録対象のパケットが保護対象のパケットあるかどうかを判別する処理は、受信したパケットのパケット種別がＶｉｄｅｏかどうかを判別するステップ３１７、パケット種別がＡｕｄｉｏかどうかを判別するステップ３１８、パケット種別がＰＣＲかどうかを判別するステップ３１９、パケット種別がＣａｐｔｉｏｎか否かを判別するステップ３２３とで行われる。ステップ３１７でパケット種別がＶｉｄｅｏであると判別された場合、ステップ３１８でパケット種別がＡｕｄｉｏであると判別された場合、ステップ３１９でパケット種別がＰＣＲと判別された場合、ステップ３２３でパケット種別がＣａｐｔｉｏｎであると判別された場合は、ＰＩＤ値の設定値の改変のステップ３１３に進む。ステップ３１７、ステップ３１８、ステップ３１９、ステップ３２３のいずれのステップにおいても、保護対象の種別のパケットデータに該当しない場合と判別された場合は、ステップ３１２に進む。
【００１８】
このような仕組みにより、Ｖｉｄｅｏパケットデータ、Ａｕｄｉｏパケットデータ、ＰＣＲパケットデータ、Ｃａｐｔｉｏｎパケットデータを保護するために、ＰＩＤ値を改変する処理が実現される。
【００１９】
なお、図３では、複数の種別のパケットを保護対象としているが、このうちの一部の種別のパケットのみを保護対象とする構成を採ってもよい。例えば、Ｖｉｄｅｏパケット、Ａｕｄｉｏパケットの２種類のパケットのみを保護対象とし、ＰＣＲパケットとＣａｐｔｉｏｎパケットは保護しない旨をコピー制御情報ＣＰＩとして記憶することも可能である。これにより、映像及び音声は記録しても不正な処理ができなくなるが、字幕のみはコピーないし再生等を行うことが可能となる。このように、本実施例によると、バリエーション豊かな番組の保護が可能となる。
【００２０】
また、保護対象とするパケットの種別は、コンテンツ保護情報で指定してもよい。また、保護対象とするパケットの種別は、予め定められたものであってもよい。コンテンツ保護情報で保護対象を指定していれば、コンテンツの送信者側の都合によって保護するデータを指定することが可能となる。
【００２１】
図４は、改変前または改変後における記録対象となるパケットデータ、及び、その中に内包されるＰＩＤ値設定領域の一例を示した図である。
【００２２】
図４（a）は、受信されたデジタル放送の番組のパケットデータの一部分の例であり、ＴＳパケットのＰＭＴ（Ｐｒｏｇｒａｍ  Ｍａｐ  Ｔａｂｌｅ）情報パケットデータ２０１、Ｖｉｄｅｏパケットデータ２０２、Ａｕｄｉｏパケットデータ２０３、ＰＣＲパケットデータ２０４、Ｃａｐｔｉｏｎパケットデータ２０５の例である。各パケットデータ内には、そのパケットデータの種別を示す、ＰＩＤ値を納める領域２００がある。
【００２３】
受信時においては、ＰＭＴパケット２０１内のＰＭＴ情報領域において、ＶｉｄｅｏパケットのＰＩＤ＝０ｘ０２７０、ＡｕｄｉｏパケットのＰＩＤ＝０ｘ０３２０、ＰＣＲパケットのＰＩＤ＝０ｘ０１９０、ＣａｐｔｉｏｎパケットのＰＩＤ＝０ｘ０４８０が、設定されている。また、それと同様に、Ｖｉｄｅｏパケット２０２内における、ＰＩＤ値設定領域には、０ｘ０２７０が納められ、Ａｕｄｉｏパケット２０３内における、ＰＩＤ値設定領域には、０ｘ０３２０が納められ、ＰＣＲパケット２０４内における、ＰＩＤ値設定領域には、０ｘ０１９０が納められ、Ｃａｐｔｉｏｎパケット２０５内におけるＰＩＤ値設定領域には、０ｘ４８０が納められている。
【００２４】
これに対して、番組が、ＰＭＴパケット２０１内のコンテンツ保護情報（ＣＰＩ）により保護設定されている場合、この番組を録画するときには、図４（ｂ）のように、ＰＭＴパケット２０１内のＰＭＴ情報領域は、そのままにしておいて、Ｖｉｄｅｏパケット２０２のＰＩＤ値をＶｉｄｅｏパケット２０２１のように例えば０ｘ１０２７に改変し、Ａｕｄｉｏパケット２０３のＰＩＤ値をＡｕｄｉｏパケット２０３１のように０ｘ１０３２に改変し、ＰＣＲパケット２０４のＰＩＤ値をＰＣＲパケット２０４１のように０ｘ１０１９に改変し、Ｃａｐｔｉｏｎパケット２０５のＰＩＤ値をＣａｐｔｉｏｎパケット２０５１のように０ｘ１０４８に改変する。そして更に、最終的な録画データとしては、図４（ｃ）に示したような、統合録画データ２１０となり、その中に、図４（ｂ）に挙げた様なパケットデータの連なりで構成される本体ＴＳデータ２１１と、オブジェクト内管理データ２０８が納められる。
【００２５】
ここで、オブジェクト内管理データ２０８の中で、各パケットのＰＩＤ値を設定する領域２０９において、図４（ｂ）に示したような、改変後のＰＩＤ値（ＶｉｄｅｏパケットのＰＩＤ＝０ｘ１０２７、ＡｕｄｉｏパケットのＰＩＤ＝０ｘ１０３２、ＰＣＲパケットのＰＩＤ＝０ｘ１０１９、ＣａｐｔｉｏｎパケットのＰＩＤ＝０ｘ１０４８）を設定する。なお、図３における特定領域とは、この、ＰＩＤ値設定領域２０９のことである。
【００２６】
これにより、例え、本体ＴＳデータ２１１単独の形になったとしても、通常の再生処理、例えばＰＭＴパケット２０１内のＰＭＴ情報領域に納められた各パケットのＰＩＤ値を元にＴＳパケットフィルタリングして行う再生処理では、番組（映像、音声、字幕）の再生をできない状態にすることができる。
【００２７】
また、本実施例の方式により記録された番組の本体情報は、所定の規格に則り、オブジェクト内管理データ２０８などとの組み合わせ管理を適切に行う正規の機器においては、再生可能としてもよい。正規な機器による再生処理を行う場合は、ＣＰＵ等で構成される制御装置にオブジェクト内管理データ２０８を読出し、オブジェクト内管理データ２０８内のＰＩＤ値設定情報からＶｉｄｅｏパケットデータ等の改変されたＰＩＤ値を取得して再生処理を行う。
【００２８】
図５は、コンテンツ保護設定が無い場合の、様々な種類のパケットが並んだ状態の一例を示した図である。なお、この図において、本体ＴＳデータ２１２は、個々の各種ＴＳパケットの連続で構成されている。また、各種別のＴＳパケットの並び順は一例であり、多重、挿入順序は異なるものでもよい。
【００２９】
各ＴＳパケットは、そのパケットデータ内のＰＩＤ領域２２０の設定値により、どんな種類のパケットなのかが、判別可能となる。そのＰＩＤ値の区分けのテーブル情報は、ＰＭＴパケット２１３のパケット内データ領域２２１に記されており、図５（a）の例では、ＶｉｄｅｏパケットのＰＩＤ＝０ｘ０２７０、ＡｕｄｉｏパケットのＰＩＤ＝０ｘ０３２０、ＰＣＲ（Ｐｒｏｇｒａｍ  Ｃｌｏｃｋ  Ｒｅｆｅｒｅｎｃｅ）パケットのＰＩＤ＝０ｘ０１９０、Ｃａｐ（Ｃａｐｔｉｏｎ）パケットのＰＩＤ＝０ｘ０４８０が、設定されている。
【００３０】
また、実際のＶｉｄｅｏパケット２１５のＰＩＤ領域２２０には０ｘ０２７０、実際のＡｕｄｉｏパケット２１７のＰＩＤ領域２２０には０ｘ０３２０、実際のＰＣＲパケット２１４のＰＩＤ領域２２０には０ｘ０１９０、実際のＣＡＰパケット２１８のＰＩＤ領域２２０には０ｘ０４８０が設定されており、ＰＭＴパケット２１３の情報の内容と一致することで、各パケット種別が的確に判別できる状態である。
【００３１】
ここで、番組に保護設定が成されていなければ、このＰＩＤ値設定のまま、そのＰＩＤ値設定情報を、図５（ｂ）のオブジェクト内管理データ２２３内の、の各パケットのＰＩＤ値を設定する領域２２２に納めることで、記録処理は達成される。
【００３２】
図６は、コンテンツ保護設定が有る場合の、実際の様々な種類のパケットが並んだ状態の一例を示した図である。本図において、各種別のＴＳパケットの並び順は一例であり、多重、挿入順序は異なるものでもよい。
【００３３】
コンテンツに保護設定が成されていた場合は、図５（a）の本体ＴＳデータ２１２の状態から、所定のパケットデータのＰＩＤ値を改変し、図６（a）の本体ＴＳデータ２４０のような形式にして、図６（ｂ）のオブジェクト内管理データ２３２とともに記録することで、達成される。
【００３４】
つまり、実際のＶｉｄｅｏパケット２２６のＰＩＤ領域２２０には０ｘ１０２７、実際のＡｕｄｉｏパケット２２７のＰＩＤ領域２２０には０ｘ０３２０、実際のＰＣＲパケット２２５のＰＩＤ領域２３０には０ｘ１０１９、実際Ｃａｐパケット２２８のＰＩＤ領域２３０には０ｘ１０４８が設定されており、ＰＭＴパケット２２４の情報の内容と食い違わせることで、本体ＴＳデータ２２３のみの状態で、通常のＴＳデータ再生の仕組みを使っても、各パケット種別が的確に判別できずに再生できない状態にすることができる。
【００３５】
そして、ここで、元々のＰＩＤ値ではなく、改変された後の各パケット種別に対するＰＩＤ値対応の設定値情報を、図６（ｂ）のオブジェクト内管理データ２３２内の、各パケットのＰＩＤ値を設定する領域２３３に納めることで、記録処理は達成される。
【００３６】
所定の規格に則った、正規の処理においては、このオブジェクト内管理データ２３２を参照して、Ｖｉｄｅｏパケットデータ等のＰＩＤ値を取得するので、問題なく再生可能となる。
【００３７】
これにより、コンテンツ保護において、付加的な保護をもたらすことができる。
【００３８】
図７は、携帯電話機の装置構成例を示した図である。
【００３９】
携帯電話機全体の制御を行なう制御部１０１、ユーザからの指示を受ける操作部１０２、デジタル放送を受信・選局するための放送用アンテナ１０３および放送選局部１０４、制御部１０１の動作プログラムや受信したデジタル放送のデータ等を保存する記憶部１０５、無線データ通信を受信するための通信用アンテナ１０６および通信部１０７、圧縮された映像データを復号する映像復号部１０８、映像復号部１０８で復号された映像を表示する表示部１０９、圧縮された音声データを復号する音声復号部１１０、音声復号部１１０で復号された音声を出力する音声出力部１１１、受信したデジタル放送のデータを外部の記録メディアに記録する際に制御を行うメディア記録制御部１１２等で構成される。
【００４０】
制御部１０１は、例えば、ＣＰＵ等の制御装置で構成する。記憶部１０５は、例えば、メモリ等の記憶装置で構成する。映像復号部１０８は、例えば、ＡＳＩＣやＦＰＧＡ等の制御装置で構成する。表示部１０９は、例えば、液晶ディスプレイや有機ＥＬディスプレイ等の表示装置等で構成する。音声復号部１１０は、例えば、ＡＳＩＣ等の専用の回路で構成する。音声出力部１１１は、例えば、スピーカ等で構成する。メディア記録制御部１１２は、制御部１０１のモジュール部分として構成してもよいし、専用のＭＰＵ等により構成してもよい。
【００４１】
また、制御部１０１の内部の処理モジュール部分として、ＰＩＤ値改変指定パケット判別部１１３、パケットＰＩＤ値改変処理部１１４が含まれている。
【００４２】
放送波信号の受信は、制御部１０１の制御により、放送用アンテナ１０３及び放送選局部１０４を介してデジタルデータとして、制御部１０１に取り込み、記憶部１０５に一時保存する。一時保存されたデジタルデータは、制御部１０１の制御で圧縮映像データと圧縮音声データに分離する。分離した圧縮映像データは、映像復号部１０８にて復号し、表示部１０９にて表示する。また、分離した圧縮音声データは、音声復号部１１０にて復号し、音声出力部１１１にて音声として出力する。
【００４３】
放送波信号に含まれるＰＭＴ（Ｐｒｏｇｒａｍ  Ｍａｐ  Ｔａｂｌｅ）情報は、放送用アンテナ１０３及び放送選局部１０４を介して取得されるデジタルデータの中から、制御部１０１が抽出する。
【００４４】
また、制御部１０１で、上記ＰＭＴ情報の中から、コピー制御情報（ＣＰＩ）を抜き出し、番組が、コンテンツ保護を設定されているかどうかを判別する。
【００４５】
また、ＰＩＤ値改変指定パケット判別部１１３はステップ３１２の処理を行う。つまり、コンテンツ保護を設定されている番組を記録するときに、ＰＩＤ値改変対象のパケット種別を判別する。
【００４６】
また、パケットＰＩＤ値改変処理部１１４は、ステップ３１３の処理を行う。つまり、ＰＩＤ値改変対象のパケットのＰＩＤ値を変え、送出する。ＰＩＤ値が改変されたパケットデータは、メディア記録制御部１１２を介して、メディアに書き込まれる。
【００４７】
これにより、あらかじめ指定した種別のパケットデータに対して、メディアへの記録時に、ＰＩＤ値を書き換えて記録することができ、従って、再生処理時には、デフォルトで、再生不可能な番組本体パケットデータを生成することができる。
【００４８】
また、本実施例では、保護の対象をデジタル放送の番組としたが、テレビ番組やラジオ番組に限らず、閲覧できるテキストや静止画、動画、音楽、音声等のコンテンツを保護対象にしてもよい。また、番組を放送信号で受信する代わりに、ＴＳ形式でコンテンツが記録されている記録媒体から、保護されているコンテンツの情報を複製する場合にも同様の方法を利用することができる。
【００４９】
本実施例における、受信記録方法においては、ＴＳデータ単体のみでも、再生不可能なデータとなり、別に専用に設けられたデータ領域の方に納められたＰＩＤ値を参照しない限り、再生できないような本体情報映像情報、及び、音声情報）にすることができるので、特定のフォーマットの制御情報に頼らなくとも、デフォルト再生不可の状態にすることができ、より強固なコンテンツ保護が実現される。
【００５０】
従来は、方送受信で受け取ったとおりＰＭＴ内のＰＩＤ指定値を、そのまま、メディアの規格に従った所定の場所に記録保持し、対応するデータ本体の方も、特に改変することなく、そのままのデータの状態で記録保持する場合があった。この場合、規格上、専用に設けられたデータ領域に設定されたＰＩＤ値と、データ本体内の実際のＰＩＤ値とが、辻褄が合うので、再生可能の状態を維持できた。
【００５１】
一方、本実施例では、データ本体の中での、ＰＩＤ値を改竄し、また、それに対応する形で、ＰＩＤ値設定専用領域に対する、ＰＩＤ値の書き込み指定値も変える。これにより、データ本体のみが分離されたあるいは取り出された場合は、データ本体内に設定されている、ＰＩＤ値テーブルの内容と、実際の各パケットデータのＰＩＤ値とが食い違い、再生不可の状態とすることができる。
【００５２】
これにより、データ本体だけを分離されることによる、海賊版の頒布を、実効的な意味合いで、阻止することができる。また、改変するデータ量も通常の暗号化処理に比べて少ないため、処理も軽いものとすることができる。
【００５３】
なお、本実施例における処理を無効化するための海賊版生成ソフトを、悪意ある者が作成する場合を想定すると、大変な労力や知見が必要となり、コストパフォーマンスの面で、いたちごっこは、避けられると、考えられる。
【００５４】
本実施例の受信記録装置は、デジタルＴＶ放送を受信する機能を備える、携帯通信端末において，放送波信号の内部情報から判別される、番組コンテンツの保護設定情報の内容に従い、ストレージメディアに記録するときなど、より強固で且つ、根源的なコンテンツ保護を、＋α的に付加することができるという、機能・性能上の利点がある。これにより、コンテンツ保護制御情報との抱き合わせの管理によるものだけでなく、コンテンツ本体のみ単体でも、保護された状態に相当することとなり、不正な再生機にかけられても、再生不可能で、保護された状態が保たれるので、番組コンテンツ提供者の資産・権利保護の用途に適用できる。
【図面の簡単な説明】
【００５５】
【図１】番組の保護状況を判別する方法の一例を示した図である。
【図２】保護対象のパケットデータのＰＩＤ値を改変する方法の一例を示した図である。
【図３】複数種の保護対象のパケットデータのＰＩＤ値を改変する方法の一例を示した図である。
【図４】改変前、改変後における記録対象となるパケットデータ、及び、その中に内包されるＰＩＤ値設定領域の一例を示した図である。
【図５】コンテンツ保護設定が無い場合の、様々な種類のパケットが並んだ状態の一例を示した図である。
【図６】コンテンツ保護設定が有る場合の、実際の様々な種類のパケットが並んだ状態の一例を示した図である。
【図７】携帯電話機の装置構成例を示した図である。
【符号の説明】
【００５６】
３０１…放送受信処理を行う段階、３０２…ＰＭＴ情報かどうかの判定処理を行う段階、３０４…ＰＭＴ情報に含まれる、コンテンツ保護情報（ＣＰＩ）の抽出処理を行う段階、３０５…コンテンツ保護設定がされているか否かの判別処理を行う段階、３０６…ＰＩＤ値の改変対象となる種別のパケットデータであるかどうかの判別処理を行う段階、３０７…ＰＩＤ値領域の改変処理を行う段階、３０８…改変されたＰＩＤ値領域も含んだパケットデータをメディアに書き込むための送出処理を行う段階、２０８…オブジェクト管理データ、２０９…各パケットのＰＩＤ値を設定する領域、２１０…統合録画データ
【図１】
2008017379.tif 000003
【図２】
2008017379.tif 000004
【図３】
2008017379.tif 000005
【図４】
2008017379.tif 000006
【図５】
2008017379.tif 000007
【図６】
2008017379.tif 000008
【図７】
2008017379.tif 000009